(57)【特許請求の範囲】
【請求項１】
前面に洗濯物を出し入れする投入口と前記投入口を開閉する扉とを設けた洗濯機筐体内に配され、前記投入口側が開口した円筒状の水槽と、この水槽内に回転可能に設けられ、前記水槽と同じ側に開口して洗濯物を収容するドラムと、このドラムを回転駆動するモータとを備えたドラム式洗濯機において、
ばね作用と減衰作用とを与えるサスペンションを、前記水槽の前側には左右方向中央に１本、後側には左右対称位置にそれぞれ１本ずつ計２本を設け、前記３本のサスペンションにより前記水槽を下方から弾性支持し、
前側のサスペンションは、水槽、ドラム、モータ等で構成される被支持部の重心に対し、重心から後側の２本のサスペンションまでの前後方向の距離より長い距離となる位置で前記被支持部を支持し、
前記水槽は前側が高くなるように洗濯機筐体に対して水平より10〜30°傾斜して配されたことを特徴とするドラム式洗濯機。
【請求項２】
請求項１に記載のドラム式洗濯機において、前記３本のサスペンションは、前後方向に傾斜させた状態で配置し、後方のサスペンションの前後方向の傾斜角は、前方のサスペンションの傾斜角より小さくすることを特徴とするドラム式洗濯機。
【請求項３】
請求項１又は２に記載のドラム式洗濯機において、前側のサスペンションは、水槽、ドラム、モータ等で構成させる被支持部の重心に対して、重心から後側のサスペンションまでの前後方向の距離に対して、約２倍の距離となる位置で支持することを特徴とするドラム式洗濯機。
【請求項４】
請求項３に記載のドラム式洗濯機において、前側のサスペンションは、前後方向に傾斜させた状態で配置し、２本の後方のサスペンションは、上方から見てドラムの回転軸に対して約60°の角度で外側に向けて取り付つけられるとともに、後側のサスペンションの、水槽との取り付け位置から筐体の底面との取り付け位置までの前後方向の距離は、前側のサスペンションの、水槽との取り付け位置から筐体の底面との取り付け位置までの前後方向の距離に対して、約半分に設定されることを特徴とするドラム式洗濯機。
【発明の詳細な説明】
【０００１】
【発明の属する技術分野】
本発明は、ドラム式洗濯機内の水槽を支持する弾性保持手段の配置に関する。
【０００２】
【従来の技術】
従来ドラム式洗濯機では、洗濯物の出し入れがしにくい、振動・騒音が大きいという問題があった。近年これを解決するため、特開２０００−２６２７９６号公報に記載される技術を取り入れたドラム式洗濯機がある。これは水槽を傾斜させることで洗濯物の出し入れを容易にし、かつ水槽を支持する弾性保持手段の配置を工夫することで振動を抑えている。
【０００３】
これらの技術を適用したドラム式洗濯機のひとつは、図８に示すように、筐体５１の内側に、前方を上にして傾いた水槽５３が、水槽５３の下部で２本の弾性保持手段であるサスペンション５７と、上部で前後方向に規制する２本のばね６０により支持されている構成となっている。この水槽５３の内部には、ドラム５４が水槽５３に平行に横軸回転可能に配設されている。このドラム５４の回転軸５９は、水槽５３の後部を水密に貫通し、水槽５３の後部に取り付けられたハウジング５８に固定されるモータ５５の回転軸に締結される。
【０００４】
また他の形態では、図９に示すように、略水平に配置された水槽５３を、４本の弾性保持手段であるサスペンション５７で支持している。うち２本は水槽５３、ドラム５４、ハウジング５８、モータ５５で構成される被支持体の重心Gより前に、残り２本は後ろに配置される。
【０００５】
【発明が解決しようとする課題】
ドラム式洗濯機を運転させると、ドラム５４の回転とともに、ドラム５４内にある洗濯物が回転する。このとき、ドラム５４内の洗濯物に片寄りがあると、その遠心力により、水槽５３は加振され、上下、左右、前後に振動する。このとき、サスペンション５７は水槽５３の振動を抑えるように作用する。しかし、図８のドラム式洗濯機のように水槽５３、ドラム５４、ハウジング５８、モータ５５で構成される被支持体の重心Gのほぼ真下の位置を２本のサスペンション５７で支持する構成であると、これら２本のサスペンション５７から離れた位置にアンバランスが発生した場合、その位置で水槽５３の振動が大きくなり、２本のサスペンション５７だけではその振動を抑制することは難しい。図９のドラム式洗濯機では４本のサスペンションが必要となる。
【０００６】
本発明は、洗濯物の出し入れがしやすく、振動・騒音が少なく、かつ低価格のドラム式洗濯機を提供することを目的とする。
【０００７】
【課題を解決するための手段】
本発明のドラム式洗濯機は、前面に洗濯物を出し入れする投入口と前記投入口を開閉する扉とを設けた洗濯機筐体内に配され、前記投入口側が開口した円筒状の水槽と、この水槽内に回転可能に設けられ、前記水槽と同じ側に開口して洗濯物を収容するドラムと、このドラムを回転駆動するモータとを備えたドラム式洗濯機において、ばね作用と減衰作用とを与えるサスペンションを、前記水槽の前側には左右方向中央に１本、後側には左右対称位置にそれぞれ１本ずつ計２本を設け、前記３本のサスペンションにより前記水槽を下方から弾性支持し、前側のサスペンションは、水槽、ドラム、モータ等で構成される被支持部の重心に対し、重心から後側の２本のサスペンションまでの前後方向の距離より長い距離となる位置で前記被支持部を支持し、前記水槽は前側が高くなるように洗濯機筐体に対して水平より10〜30°傾斜して配されたことを特徴とする。
また、これら３本のサスペンションは、前後方向に傾斜させた状態で配置し、後側のサスペンションの前後方向の傾斜角は前側のサスペンションの傾斜角より小さくするとよい。
また、前側のサスペンションは、水槽、ドラム、モータ等で構成させる被支持部の重心に対して、重心から後方のサスペンションまでの前後方向の距離に対して、約２倍の距離となる位置を支持するようにするとよい。
また、前側のサスペンションは、前後方向に傾斜させた状態で配置し、２本の後側のサスペンションは、上方から見てドラムの回転軸に対して約60°の角度で外側に向けて取り付つけられるとともに、後側のサスペンションの、水槽との取り付け位置から筐体の底面との取り付け位置までの前後方向の距離は、前側のサスペンションの、水槽との取り付け位置から筐体の底面との取り付け位置までの前後方向の距離に対して、約半分に設定されるとよい。
【０００８】
【発明の実施の形態】
以下、本発明の第1の実施例について、図１および図２を用いて説明する。
【０００９】
図１は本実施例のドラム式洗濯機の内部の側面図である。また、図２はこのドラム式洗濯機の内部の正面図であり、サスペンションの位置関係を示すものである。
【００１０】
洗濯機の筐体１前面には洗濯物の投入口があり、扉２が設けられている。扉２を開閉することで、洗濯物を出し入れする。また、筐体１の内側には、水平より10〜30°投入口側を上にして傾斜し、投入口側が開口した円筒状の水槽３が配置されている。投入口と水槽３の開口部はジャバラ状のゴム質のベローズ６でつながれており、洗濯物の出し入れ時に洗濯物が筐体１内に落ちないようになっている。水槽３の内側には、多数の孔が空けられ一端が開口した円筒状のドラム４が、回転可能に設けられている。ドラム４の底面中心には回転軸９が締結され、この回転軸９は水槽３の底面の中心を、水密にシールされかつ回転可能な状態で貫通している。水槽３の後部底面にはフランジ８が固定され、このフランジ８にはドラム４を回転駆動するモータ５が固定される。そしてドラム４の回転軸９はこのモータ５の回転軸に締結されている。
【００１１】
こうして、ドラム４は水槽３の後部に設けられたモータ５により水槽３内を左右どちら周りにも回転でき、ドラム４を回転させながら、洗い・すすぎ・脱水・乾燥工程が行われる。
【００１２】
ドラム４およびモータ５が取り付けられている水槽３は、水槽３の下方に設けられた３本のサスペンション７により弾性支持されている。サスペンション７の構造、配置法は後で詳しく説明する。
【００１３】
筐体１の上部には、給水ユニット１１があり、洗い・すすぎ時に使用する水は、筐体１の上部に設けた給水口１２、給水バルブ１３、洗剤ケース１４を通過して水槽３内部に注がれる。また、洗い・すすぎ後の水および脱水時の水は、水槽３の下部に設けた排水バルブ１５から排水される。
【００１４】
水槽３の上部には、乾燥ユニット２１が配置されている。乾燥時には、水槽３の上部に設けられた送風ファン２２が作動し、ヒータ２４を通して高温空気を水槽３内に送風する。脱水後の洗濯物からの水分を多く含んだ水槽３内の湿った空気は、除湿用ダクト２３に導かれ、除湿用ダクト２３内で水冷除湿された後、再び水槽３に戻される。
【００１５】
つぎに本発明の要点である３本のサスペンション７の配置を説明する。まずサスペンション７の水槽３への取り付け位置を説明する。
【００１６】
３本のサスペンション７の１本７Ａは、水槽３、ドラム4、モータ５、フランジ８、乾燥ユニット２１で構成される被支持部の重心Ｇより前方（前側）に配置し、残り２本のサスペンション７Ｂ、７Ｃは重心Ｇより後方（後側）に配置する。
【００１７】
前方に配置されるサスペンション７Ａは、水槽３を前面（開口側）から見た時の左右方向に対して、ほぼ中央に配する。後方に配置されるサスペンション７Ｂ、７Ｃは水槽３側面の左右対象位置に配置する。重心Ｇから前方のサスペンション７Ａまでの距離Ｌ１は、重心Ｇから後方のサスペンション７Ｂまでの距離Ｌ２より長く設定する。
【００１８】
次に、これらサスペンションの筐体１底面への取り付け位置を説明する。
【００１９】
前方に配置されるサスペンション７Ａは、筐体１底面に対して垂直になるように、底面に取り付ける。
【００２０】
後方に配置されるサスペンション７Ｂ，７Ｃは、それらの水槽３に対する取り付け位置より外側の位置で、筐体１の床面に取り付けられる、つまり、左右方向に傾いた状態で被支持部を支持する。
【００２１】
これらサスペンション７は、ばね作用と減衰作用を与える装置であり、たとえば図７に示すように、ピストン３０とシリンダ３１とばね３２で構成される。ばね３２はシリンダ３１の外側に配され、ピストンロッド３３とシリンダ３１を接続している。ばね３２をシリンダ３１の外側に配することにより、サスペンションを短くすることができる。ピストン３０とシリンダ３１との間の摩擦抵抗により減衰作用を与える。
【００２２】
サスペンション７の上端、下端の取り付け部には、ゴムブッシュ３４を設け、水槽３あるいは筐体１の床面取り付けるに際しては、これら予めに固定されている取り付け部材３５を挟み込むようにする。 図７はサスペンションの一例であり、ばねはシリンダの内側に配されていても良いし、減衰手段は流体抵抗によるものでも良い。
【００２３】
このように、水槽３、ドラム4、モータ５、フランジ８、乾燥ユニット２１で構成される被支持部の重心Ｇを囲むように３本のサスペンション７を配することにより、被支持部を自立した状態で安定良く支持することができ、振動を抑えることが可能となる。
【００２４】
なお、上述では筐体１の内側に、水平より10〜30°投入口側を上にして傾斜し、投入口側が開口した円筒状の水槽３が配置されるドラム式洗濯機で説明したが、これに限ることはない。たとえば水槽３が筐体１の底面に対して平行に設置されていてもよいことは明らかである。すなわちサスペンションの本数をのぞけば従来の図９に示すような構造であってもよい。
【００２５】
この安定性は製造上の時間短縮、コスト低減にもつながる。被支持部を組み立ててからサスペンションを取り付け、この自立している状態で、周囲筐体、給水ユニット、ベローズ等を順次アセンブルして行くことが可能となるからである。
【００２６】
また、水槽３の傾斜角度はサスペンション７Ａの長さだけで調整することが可能である。
【００２７】
また、実際の洗濯で洗濯物のアンバランスが重心Ｇから前後に離れた位置に発生しその位置で大きく水槽３が振動しても、大きな減衰作用を与えることができ、振動を抑えられる。
【００２８】
また、３本のサスペンションで支持することにより、従来２本で支持していた（図８参照）ときに必要であった水槽３上部に配した２本のばねが不必要となる。このため、水槽３上部と筐体１の天井との空間、水槽３の上部表面に空きができる。そして給水ユニット１１や乾燥ユニット２１の配置を自由にすることができる。
【００２９】
また、図９に示した４本サスペンションの従来ドラム式洗濯機と比較しても、安定性を保持したままで、サスペンションを１本減らせる効果もある。
【００３０】
本実施例のように水槽３を傾けて配置し、洗濯物の出し入れをしやすくした場合には、この傾斜により、洗いおよびすすぎ工程では洗濯物はドラム４の後方に溜まりやすくなり、ドラム４の後方で洗濯物の片寄りが発生しやすくなる。この結果、水槽３の後方で振動が大きくなる確率が高くなる。つまり水槽３の後方が大きく尻ふりすることが多くなる。本実施例のサスペンション７の配置はこの場合特に有効となる。
【００３１】
これは水槽３の前方より後方に多くサスペンションを配置することにより、この減衰作用で上述の振動を抑え、より安定に保持することができるからである。
【００３２】
本発明の第２の実施例について図３を用いて説明する。図３は本実施例のドラム式洗濯機の内部の側面図である。図中第１、２図と同一番号は同一物を示す。
【００３３】
本実施例は、第１の実施例と同様に、３本のサスペンション７で、水槽３、ドラム４、モータ５、フランジ８、乾燥ユニット２１で構成される被支持部を支持している。
【００３４】
第１の実施例と異なるのは、水槽３の前方のサスペンション７Ａは鉛直に取り付けられず、水槽３に取り付けられた位置より前方で筐体１の底面に取り付けられている点である。つまり、サスペンション７Ａは前後方向に傾いた状態で被支持部を支持している。
【００３５】
また、後方のサスペンション７Ｂ，７Ｃは、水槽３に取り付けられた位置より後方で筐体１の底面に取り付けられる。つまり、サスペンション７Ｂ，７Ｃは前後方向に傾いた状態で被支持部を支持している。さらに、第１の実施例でも述べたように、これらは左右方向に傾いた状態で支持している。
【００３６】
このとき、被支持部を安定に支持するために、前方のサスペンション７Ａの前後方向の力と、２本の後方のサスペンション７Ｂ，７Ｃの前後方向の力とが釣り合っていなければならない。そのため、サスペンション７Ａの前後方向の傾きθ１は、サスペンション７Ｂ，７Ｃの前後方向の傾きθ２より大きく設定する。
【００３７】
このようにすると、前後方向にもサスペンションが作用し、より安定に自立して水槽３を支持することができる。また、前後方向の振動に対して、第１の実施例より大きな減衰作用を与えることができ、より振動を抑制することができる。
【００３８】
本発明の第３の実施例について図４を用いて説明する。図４は本実施例のドラム式洗濯機の内部の側面図である。図中第１、２、３図と同一番号は同一物を示す。
【００３９】
本実施例は、先に示した第１、第２の実施例における３本のサスペンション７を取り付ける位置について示したものである。
本実施例のドラム式洗濯機は、側面から見て、重心Ｇから前方のサスペンション７Ａまでの距離Ｌ１が、重心Ｇから後方のサスペンション７Ｂ、７Ｃまでの距離Ｌ２の約２倍となるように設定する。さらに、各サスペンション７は、床面からほぼ同じ高さＨで、水槽３を支持する。
【００４０】
このようにすると、各サスペンション７に作用する力がほぼ等しくなり、３本とも同一部品で構成することができる。
またこのとき、後方の２本のサスペンション７Ｂ，７Ｃを、水槽３の側面より硬くできている背面に取り付ける方が好ましい。
【００４１】
しかし、前方ならびに後方のサスペンション７の取り付ける角度によっては、必要なサスペンションの長さが多少異なる場合がある。そこで、筐体１の底面において、前方のサスペンション７Ａを取り付ける面と後方のサスペンション７Ｂ，７Ｃを取り付ける面を同一の高さにしないようにする。または、サスペンション７の取り付け部に挟み込むゴムブッシュ３４を、前方と後方で同一な厚さのものを使用しないようにする。このようにすることで、３本とも同一部品のサスペンションを用いることができる。
【００４２】
次に、図５、図６に本発明の第４の実施例を示す。図５は本実施例のドラム式洗濯機の内部の側面図である。図中第１〜４図と同一番号は同一物を示す。また、図６は本実施例のドラム式洗濯機おける３本のサスペンション７の取り付け位置関係を上方から見た図である。
【００４３】
水槽３、ドラム４、モータ５、フランジ８、乾燥ユニット２１からなる被支持部の重心Ｇから前方のサスペンション７Ａまでの前後方向の距離Ｌ１を、重心Ｇから後方のサスペンション７Ｂ、７Ｃまでの前後方向の距離Ｌ２の約２倍に設定する。さらに、各サスペンション７は、床面からほぼ同じ高さＨで、水槽３を支持する。さらに、水槽３の前方のサスペンション７Ａは前後方向に傾けいた状態で被支持部を支持している。また、後方のサスペンション７Ｂ，７Ｃは、前後・左右方向に傾いた状態で支持し、図６のように上方から見て水槽３の回転軸に対しする角度θを約60°に設定され、外側に向けて取り付つけられる。
【００４４】
このとき、サスペンション７Ａの水槽３との取り付け位置から、筐体１の底面との取り付け位置までの前後方向の距離をＤ１とする。これに対して、水槽３の後方のサスペンション７Ｂ，７Ｃの水槽３との取り付け位置から、筐体１の底面との取り付け位置までの前後方向の距離Ｄ２は、Ｄ１の約半分に設定する。
このような構成にすると、上下方向はもちろん、前後、左右の振動に対してサスペンション７の減衰が作用し、振動を抑制することができる。また、各サスペンション７の長さが同じであり、荷重も均等に作用することから、筐体１における取り付け面の高さやゴムブッシュ３４を調整することなく、３本とも同一部品のサスペンションで構成することができる。
【００４５】
【発明の効果】
水槽を傾けて配置し、洗濯物の出し入れをしやすくした場合に、この傾斜により、洗いおよびすすぎ工程で洗濯物はドラムの後方に溜まりやすくなり、ドラムの後方で洗濯物の片寄りが発生しやすく、水槽の後方で振動が大きくなる確率が高くなる。本発明では、水槽、ドラム、モータ等で構成される被支持部をその重心の前側に１本、後側に２本のサスペンションで支持することにより、安定良く自立して支持することができるほか、水槽の前方より後方に多くのサスペンションを配置したことにより、サスペンションの減衰作用で振動を抑え、より安定に保持することができる。また、３本のサスペンションを前後に傾斜させて取り付けることにより、前後方向の振動をよりよく抑えることができるようになる。
【図面の簡単な説明】
【図１】本発明の第１の実施例のドラム式洗濯機内部の側面図。
【図２】本発明の第１の実施例のドラム式洗濯機内部の正面図。
【図３】本発明の第２の実施例のドラム式洗濯機内部の側面図。
【図４】本発明の第３の実施例のドラム式洗濯機内部の側面図。
【図５】本発明の第４の実施例のドラム式洗濯機内部の側面図。
【図６】本発明の第４の実施例のサスペンションの取り付け位置示す図。
【図７】本発明の実施例に用いるサスペンションの断面図。
【図８】従来の傾斜した水槽を内蔵するドラム式洗濯機内部の側面図。
【図９】従来の水槽が水平に支持されているドラム式洗濯機内部の側面図。
【符号の説明】
１…洗濯機の筐体、３…水槽、４…ドラム、５…モータ、７…サスペンション。
【図１】
0003636120.tif 000002
【図２】
0003636120.tif 000003
【図３】
0003636120.tif 000004
【図４】
0003636120.tif 000005
【図５】
0003636120.tif 000006
【図６】
0003636120.tif 000007
【図７】
0003636120.tif 000008
【図８】
0003636120.tif 000009
【図９】
0003636120.tif 000010